(57)【特許請求の範囲】
【請求項１】
前面に開口を有する断熱箱体からなる貯蔵庫本体と、
前記開口を上下又は左右に仕切る柱状の仕切部材と、
を備え、
前記仕切部材は、
後方に開口する箱状の前面枠と、
前記前面枠の裏面に取り付けられている結露防止ヒータと、
前側部分が前記前面枠に嵌め込まれて後側部分が前記前面枠の長手方向の側壁より後方に出ている前側断熱部材と、
前記前側断熱部材の後方に配置されている後側断熱部材と、
前記前側断熱部材及び前記後側断熱部材を覆うように後方から前記前面枠に取り付けられている断面コ字状の後面枠と、
を有し、
前記前側断熱部材には、前記側壁から前記長手方向の中心側に離間した位置に、前記結露防止ヒータから延びる電線を前記前側断熱部材の前面側から背面側に通す電線通路が設けられており、
前記電線が前記電線通路、及び、前記前側断熱部材と前記後側断熱部材との間に配線されて前記仕切部材から引き出されている、冷却貯蔵庫。
【請求項２】
請求項１に記載の冷却貯蔵庫であって、
前記前側断熱部材の背面には、前記電線通路から前記長手方向の端まで延びる溝であって底面が前記側壁より後方に位置している溝が設けられており、
前記電線が前記電線通路、及び、前記溝に配線されている、冷却貯蔵庫。
【請求項３】
請求項１又は請求項２に記載の冷却貯蔵庫であって、
前記電線通路は、前記前側断熱部材の前面から背面に至る切れ込みである、冷却貯蔵庫。
【発明の詳細な説明】
【技術分野】
【０００１】
貯蔵庫本体の開口を上下又は左右に仕切る柱状の仕切部材を備える冷却貯蔵庫に関する。
【背景技術】
【０００２】
従来、前面に開口を有する断熱箱体からなる貯蔵庫本体と、貯蔵庫本体の開口を上下又は左右に仕切る柱状の仕切部材とを備える冷却貯蔵庫が知られている（例えば、特許文献１参照）。
特許文献１に記載の仕切枠（仕切部材）は、断面コ字状の前面板（前面枠）の裏面に防露ヒータ（結露防止ヒータ）が貼り付けられており、防露ヒータの後方から断熱材（断熱部材）が嵌め込まれている。そして、断熱部材の長手方向の端面に前後方向に延びる逃がし溝が形成されており、防露ヒータから延びる電線が逃がし溝から引き出されている。
【先行技術文献】
【特許文献】
【０００３】
【特許文献１】特開２００８−３２２５８号公報
【発明の概要】
【発明が解決しようとする課題】
【０００４】
上述した特許文献１に記載の前面枠は長手方向の両端が開放されているが、図１１に示すように前面枠３００の長手方向（図１１では左右方向）の端に側壁３０１が設けられることによって前面枠３００が後方に開口する箱状に形成される場合もある。そして、そのような箱状の前面枠３００において、前面枠３００の裏面に沿って配線された電線３０２が裏面と側壁３０１との角で９０度曲げられ、側壁３０１の後側の縁部で更に９０度曲げられて前面枠３００から引き出される場合がある。
【０００５】
この場合、電線３０２が側壁３０１の後側の縁部に接触して断線したり漏電したりする虞があるので、従来は側壁３０１の縁部にアルミテープを張り付けたり電線３０２を保護チューブで覆ったりして電線３０２を保護していた。しかしながら、側壁３０１の縁部にアルミテープを張り付けたり電線３０２を保護チューブで覆ったりすると作業工程が増えて作業効率が悪いという問題がある。
【０００６】
本明細書では、結露防止ヒータから延びる電線を仕切部材の長手方向の側壁に接触させることなく仕切部材から引き出す作業の作業効率が向上する技術を開示する。
【課題を解決するための手段】
【０００７】
本明細書で開示する冷却貯蔵庫は、前面に開口を有する断熱箱体からなる貯蔵庫本体と、前記開口を上下又は左右に仕切る柱状の仕切部材と、を備え、前記仕切部材は、後方に開口する箱状の前面枠と、前記前面枠の裏面に取り付けられている結露防止ヒータと、前側部分が前記前面枠に嵌め込まれて後側部分が前記前面枠の長手方向の側壁より後方に出ている前側断熱部材と、前記前側断熱部材の後方に配置されている後側断熱部材と、前記前側断熱部材及び前記後側断熱部材を覆うように後方から前記前面枠に取り付けられている断面コ字状の後面枠と、を有し、前記前側断熱部材には、前記側壁から前記長手方向の中心側に離間した位置に、前記結露防止ヒータから延びる電線を前記前側断熱部材の前面側から背面側に通す電線通路が設けられており、前記電線が前記電線通路、及び、前記前側断熱部材と前記後側断熱部材との間に配線されて前記仕切部材から引き出されている。
【０００８】
上記の冷却貯蔵庫によると、電線を電線通路、及び、前側断熱部材と後側断熱部材との間に配線することにより、電線を仕切部材の長手方向の側壁に接触させることなく仕切部材から引き出すことができる。このため、側壁の縁部にアルミテープを張り付けたり電線を保護チューブで覆ったりする作業が不要になり、電線を仕切部材の長手方向の側壁に接触させることなく仕切部材から引き出す作業の作業効率が向上する。
【０００９】
また、前記前側断熱部材の背面には、前記電線通路から前記長手方向の端まで延びる溝であって底面が前記側壁より後方に位置している溝が設けられており、前記電線が前記電線通路、及び、前記溝に配線されていてもよい。
【００１０】
上記の冷却貯蔵庫によると、前側断熱部材の背面に溝が設けられているので、前側断熱部材と後側断熱部材との間に電線を配線し易くなる。
【００１１】
また、前記電線通路は、前記前側断熱部材の前面から背面に至る切れ込みであってもよい。
上記の冷却貯蔵庫によると、電線と前側断熱部材とが密着し易くなり、仕切部材の断熱性が向上する。
【発明の効果】
【００１２】
本明細書で開示する冷却貯蔵庫によれば、結露防止ヒータから延びる電線を仕切部材の長手方向の側壁に接触させることなく仕切部材から引き出す作業の作業効率が向上する。
【図面の簡単な説明】
【００１３】
【図１】実施形態１に係る冷蔵庫の斜視図
【図２】ドロワを外した状態の冷蔵庫の斜視図
【図３】仕切枠の斜視図
【図４】長手方向から見た前面枠を簡略化して示す模式図
【図５】横枠の断熱部材及び後面枠、並びに、縦枠の断熱部材及び後面枠を透視した仕切枠の斜視図
【図６】横枠の図７に示すＢ−Ｂ線の断面を簡略化して示す模式図
【図７】横枠の図６に示すＡ−Ａ線の断面を簡略化して示す模式図
【図８】横枠の前側断熱部材及び縦枠の前側断熱部材を簡略化して示す斜視図
【図９】実施形態２に係る前側断熱部材の斜視図
【図１０】他の実施形態に係る前側断熱部材及び後側断熱部材の断面を簡略化して示す模式図
【図１１】箱状の前面枠における従来の配線を示す模式図。
【発明を実施するための形態】
【００１４】
＜実施形態１＞
実施形態１を図１ないし図８に基づいて説明する。以降の説明において上下方向、前後方向、及び、左右方向とは図１に示す上下方向、前後方向、及び、左右方向のことをいう。
【００１５】
（１）冷却貯蔵庫の全体構成
図１及び図２を参照して、実施形態１に係る冷却貯蔵庫としての冷蔵庫１の全体構成について説明する。図１に示すように冷蔵庫１は６個のドロワ１０（図１では２つのドロワ１０を省略している）を備えた引き出し式冷蔵庫であり、前面に開口する断熱箱体からなる横長の貯蔵庫本体１１を備えている。
【００１６】
貯蔵庫本体１１の開口は仕切枠１２によって６つの出入口に仕切られており、上方に開口する箱状のドロワ１０がそれらの出入口から庫内に挿入されている。貯蔵庫本体１１の左側には機械室１３が設けられている。機械室１３には冷却装置、制御部、電源部などが収容されている。
【００１７】
図２に示すように、仕切枠１２は開口の左右方向の中央において上下方向に延びる縦枠１４、縦枠１４の左側面から上下に離間して水平に伸びる２つの横枠１５、及び、縦枠１４の右側面から上下に離間して水平に伸びる２つの横枠１５を備えている。横枠１５は「柱状の仕切部材」の一例である。
【００１８】
また、貯蔵庫本体１１の左右の内面には上下に離間して水平に延びるガイドレール１６が三つずつ取り付けられていると共に、縦枠１４の左右の側面にも奥側に向かって水平に伸びるガイドレール１６が上下に離間して三つずつ取り付けられている。図１に示すドロワ１０はこれらのガイドレール１６によって前後方向にスライド可能に支持されている。
【００１９】
（２）仕切枠
図３に示すように、縦枠１４の長手方向の両端には縦枠１４を貯蔵庫本体１１に固定するための固定具１７が取り付けられている。同様に、縦枠１４から左に延びる横枠１５には左側の端面に固定具１８が取り付けられており、右に延びる横枠１５には右側の端面に固定具１８が取り付けられている。仕切枠１２はこれらの固定具１７，１８が貯蔵庫本体１１の上下左右の内面の前側縁部に固定されることによって貯蔵庫本体１１の開口を仕切っている。
【００２０】
また、縦枠１４の上側の端面からは後述するコードヒータ２４から延びる複数の電線からなる電線束１９が引き出されている。引き出された電線束１９は例えば貯蔵庫本体１１の天井壁の内部を通され、天井壁の前面から庫外に導出されて機械室１３まで配線される。
【００２１】
（２−１）横枠
図４に示すように、横枠１５は後方に開口する箱状の前面枠２０と前方に開口する断面コ字状の後面枠２１とを有しており、前面枠２０が後面枠２１の内側に嵌合されることによって角柱状に形成されている。本実施形態では前面枠２０は金属製であり、後面枠２１は合成樹脂製である。
【００２２】
前面枠２０は後方に開口する箱状に形成されているため長手方向（図４において紙面垂直方向）の両端にも側壁２２が形成されている。これに対し、後面枠２１は長手方向の両端に側壁が形成されていない。また、前面枠２０は前後方向の幅が後面枠２１の前後方向の幅より小さい。このため、前面枠２０が後面枠２１の内側に嵌合されて横枠１５が構成されたとき、横枠１５の長手方向の端面に開口２３が形成される。開口２３は後述するコードヒータ２４から延びる電線２５を横枠１５から引き出すためのものである。
【００２３】
図５は仕切枠１２を後ろ側から見た斜視図である。理解を容易にするため図５では横枠１５の後面枠２１及び後述する断熱部材２６、並びに、縦枠１４の後述する後面枠３２及び断熱部材を透視した状態の仕切枠１２を示している。
図５に示すように、前面枠２０の上下の側壁の外面には突部２３が形成されている。後面枠２１の上下の側壁の内面には突部２３に係合する図示しない係合部が形成されており、後面枠２１は係合部が突部２３に係合することによって前面枠２０から外れてしまうことが抑制される。
【００２４】
また、前面枠２０の裏面にはコードヒータ２４が取り付けられている。本実施形態ではコードヒータ２４はアルミテープによって裏面に張り付けられている。コードヒータ２４は前面枠２０を加熱することによって前面枠２０への結露を防止するためのものである。コードヒータ２４からはコードヒータ２４に電力を供給するための一対の電線２５が伸びている。コードヒータ２４は結露防止ヒータの一例である。
【００２５】
図６に示すように、前面枠２０と後面枠２１とによって形成される角柱状の内部空間には、横枠１５の断熱性を確保するために発砲樹脂などからなる予め成形された断熱部材２６が嵌め込まれている。断熱部材２６の形状は横枠１５の内部空間の形状と略一致している。
【００２６】
断熱部材２６は前側断熱部材２７と後側断熱部材２８とに分割されている。前側断熱部材２７の前後方向の幅は前面枠２０の前後方向の幅より大きい。このため、前側断熱部材２７は前側部分が前面枠２０に嵌め込まれて後側部分が前面枠２０の長手方向の側壁２２（図４参照）より後方に出ている。
【００２７】
図７に示すように、前側断熱部材２７には、前側断熱部材２７の長手方向（図７では左右方向）において縦枠１４側の端（図７では右端）から中央側に離間した位置に、前後方向に貫通する貫通穴２９が形成されている。貫通穴２９は「電線通路」の一例である。
そして、前側断熱部材２７の背面には貫通穴２９の後側の開口から縦枠１４側の端まで延びる溝３０が形成されている。溝３０の底面３０Ａは前面枠２０の長手方向の側壁２２の後端より後方に位置している。
【００２８】
電線２５は貫通穴２９の前側の開口から貫通穴２９に挿入され、貫通穴２９の後側の開口から引き出されている。引き出された電線２５は縦枠１４側に９０度曲げられて溝３０に配線され、溝３０の端から外に延びている。そして、その状態で前側断熱部材２７の背面が後側断熱部材２８によって覆われることにより、電線２５が断熱部材２６の長手方向の端面から引き出されている状態になる。
【００２９】
前述したように溝３０の底面３０Ａは側壁２２の後端より後方に位置しているので、電線２５は側壁２２より後方で断熱部材２６の端面から引き出されている。このため、電線２５は側壁２２に接することなく横枠１５から引き出されている。
【００３０】
（２−２）縦枠
図３に示すように、縦枠１４も後方に開口する箱状の前面枠３１と前方に開口する断面コ字状の後面枠３２とを有しており、後面枠３２の内側に前面枠３１が嵌合されることによって角柱状に形成されている。ただし、縦枠１４の後面枠３２は左右の側壁において横枠１５が取り付けられる位置が切り欠かれている。
【００３１】
図５に示すように、横枠１５の前面枠２０と縦枠１４の前面枠３１とは前後方向の幅が概ね同じである。横枠１５の前面枠２０は長手方向の側壁２２がリベットによって縦枠１４の前面枠３１の左右の側壁３１Ａに固定されている。
縦枠１４の前面枠３１の裏面にもコードヒータ２４がアルミテープによって貼り付けられている。また、縦枠１４の内部空間にも発泡樹脂等からなる予め成形された図示しない断熱部材が嵌め込まれている。
【００３２】
図８を参照して、縦枠１４の断熱部材について説明する。縦枠１４の断熱部材は前側断熱部材３３と図示しない後側断熱部材とに分割されている。ただし、縦枠１４の前側断熱部材３３は横枠１５の前側断熱部材２７と形状が異なっている。
具体的には、縦枠１４の前側断熱部材３３は前後方向の幅が横枠１５の前側断熱部材２７の前後方向の幅より大きい。また、縦枠１４の前側断熱部材３３の背面には左右方向（前側断熱部材３３の幅方向）の中央において上下方向（前側断熱部材３３の長手方向）に延びる中央配線溝３４が形成されている。中央配線溝３４は横枠１５や縦枠１４に取り付けられているコードヒータ２４から延びる電線２５をまとめて配線するためのものである。
【００３３】
また、図８に示すように、縦枠１４の前側断熱部材３３には、左右の側面において横枠１５の溝３０に対応する位置から中央配線溝３４の側面まで貫通する穴３５が形成されている。横枠１５から引き出された電線２５は穴３５を通されて中央配線溝３４まで導かれる。
【００３４】
（３）実施形態の効果
以上説明した実施形態１に係る冷蔵庫１によると、電線２５を貫通穴２９及び溝３９に配線することにより、電線２５を横枠１５の長手方向の側壁２２に接触させることなく横枠１５から引き出すことができる。このため、側壁２２の後側の縁部にアルミテープを張り付けたり電線２５を保護チューブで覆ったりする作業が不要になり、電線２５を側壁２２に接触させることなく横枠１５から引き出す作業の作業効率が向上する。
【００３５】
更に、冷蔵庫１によると、前側断熱部材２７の背面に溝３０が設けられているので、前側断熱部材２７と後側断熱部材２８との間に電線２５を配線し易くなる。
【００３６】
また、従来のように側壁２２の縁部にアルミテープを張り付けたり電線２５を保護チューブで覆ったりする場合はアルミテープや保護チューブなどが必要であるが、冷蔵庫１ではアルミテープや保護チューブなどが不要であるので部品点数を削減できる。
【００３７】
また、従来のように側壁２２の縁部にアルミテープを張り付けたり電線２５を保護チューブで覆ったりする場合は、アルミテープを張り付け忘れたり保護チューブを取り付け忘れたりすることによって電線２５が側壁２２に接触してしまう虞がある。冷蔵庫１ではアルミテープや保護チューブなどが不要であるのでそのようなアルミテープの張り付け忘れや保護チューブの取り付け忘れによる接触を防止できる。
【００３８】
また、従来のように電線２５を保護チューブで覆うと電線２５が曲がり難くなるため配線作業の作業性が悪くなる。冷蔵庫１では電線２５を保護チューブで覆う必要がないので電線２５が曲がり易い。このため電線２５を配線する作業をより効率よく行うことができる。
【００３９】
また、従来のように保護チューブで保護された電線を前面枠２０の裏面や側壁の内面に沿って配線した場合は、断熱部材が後方から電線２５を抑え込むように前面枠２０に嵌め込まれることになるので電線２５にストレスがかかる。電線２５にストレスがかかると電線２５が断線してしまう可能性が高くなる。冷蔵庫１では電線２５が貫通穴２９及び溝３０に配線されるので断熱部材２６からのストレスを受け難い。このため断熱部材２６からのストレスによって電線２５が断線してしまう可能性を低減できる。
【００４０】
＜実施形態２＞
次に、実施形態２を図９によって説明する。
図９に示すように、実施形態２に係る横枠１５の前側断熱部材２２７は、前側断熱部材２２７の長手方向の端から当該長手方向の中心側に離間した位置において、上下に貫通する貫通穴ではなく、前側断熱部材２２７の上下方向の一方の端面（図９では上側の端面）から溝３０の他方の端（図９では下側の端）に至る切れ込み２２８が形成されている。切れ込み２２８は前側断熱部材２２７の前後方向全体に亘って形成されている。
【００４１】
実施形態２では電線２５が切れ込み２２８と溝３０とに配線されて断熱部材の端面から引き出される。実施形態２はその他の点において実施形態１と実質的に同一である。
【００４２】
以上説明した実施形態２に係る冷蔵庫１によると、電線通路が貫通穴ではなく切れ込み２２８として形成されているので、電線２５と前側断熱部材２２７とが密着し易くなり、横枠１５の断熱性が向上する。
【００４３】
＜他の実施形態＞
本明細書によって開示される技術は上記記述及び図面によって説明した実施形態に限定されるものではなく、例えば次のような実施形態も本明細書によって開示される技術的範囲に含まれる。
【００４４】
（１）上記実施形態では前側断熱部材２７の背面に溝３０が設けられている場合を例に説明した。これに対し、前側断熱部材２７の背面に溝３０が設けられていなくてもよい。一般に断熱部材は変形可能なため、必ずしも溝３０がなくても前側断熱部材２７と後側断熱部材２８との間に電線２５を配線することは可能だからである。ただし、電線２５を配線し易くするためには溝３０が設けられていることが望ましい。
【００４５】
（２）上記実施形態１では溝３０が前側断熱部材２７の背面に形成されている場合を例に説明した。これに対し、図１０に示すように溝３０は後側断熱部材２８の前面に設けられてもよい。実施形態２についても同様である。
【００４６】
（３）上記実施形態では断熱部材６が前側断熱部材２７と後側断熱部材２８とに２分割されている場合を例に説明したが、断熱部材６は前後に３分割以上されていてもよいし、必要であれば長手方向にも分割されていてもよい。
【００４７】
（４）上記実施形態では冷却貯蔵庫として引き出し式の冷蔵庫１を例に説明した。これに対し、冷却貯蔵庫は例えば開口を開閉する左右一対の観音開き式の断熱扉を備える冷蔵庫であってもよい。その場合は、仕切部材は開口の左右方向の中心において上下に延びるように設けられることになる。あるいは、冷却貯蔵庫は開口を開閉する断熱扉を上下に備える冷蔵庫であってもよい。その場合は、左右に延びる仕切部材が一つだけ設けられることになる。
【００４８】
（５）上記実施形態では冷却貯蔵庫として冷蔵庫を例に説明したが、冷却貯蔵庫は冷凍庫であってもよい。
【符号の説明】
【００４９】
１・・・冷蔵庫、１１・・・貯蔵庫本体、１４・・・縦枠、１５・・・横枠、２０・・・前面枠、２１・・・後面枠、２２・・・側壁、２４・・・コードヒータ、２５・・・電線、２７・・・前側断熱部材、２８・・・後側断熱部材、２９・・・貫通穴、３０・・・溝、３０Ａ・・・底面、２２７・・・前側断熱部材、２２８・・・切れ込み
【図１】
0006468551.tif 000002
【図２】
0006468551.tif 000003
【図３】
0006468551.tif 000004
【図４】
0006468551.tif 000005
【図５】
0006468551.tif 000006
【図６】
0006468551.tif 000007
【図７】
0006468551.tif 000008
【図８】
0006468551.tif 000009
【図９】
0006468551.tif 000010
【図１０】
0006468551.tif 000011
【図１１】
0006468551.tif 000012